(57)【要約】【課題】電線群を通す空間の上面部が電線群を通す方向に直交する水平方向に傾斜面となっていて、かつ、幅が狭い電線群配索空間に設置され場合に好適であるプロテクタを提供すること。【解決手段】傾斜状態とされた上面より電線群Ｗを収容するプロテクタ本体３１と、プロテクタ本体３１の上面を閉じる蓋体４１と、を備え、プロテクタ本体３１は、底面部３２と、底面部３２の一側より高く立ち上がる高丈側面部３３と、底面部３２の他側より低く立ち上がる低丈側面部３４と、底面部の中程で立ち上がり、内部を第１の電線群収容空間３６と第２の電線群収容空間３７とに仕切る仕切り壁部３５と、を有し、該仕切り壁部３５の頂部には、第１および第２の電線群収容空間３６、３７にそれぞれ電線群Ｗを案内する案内面を有する。【選択図】図１
2015119530.tif 000002
【特許請求の範囲】
【請求項１】
上面が傾斜状態に開いており、当該上面より電線群を通すように収容するプロテクタ本体と、
前記プロテクタ本体の上面を閉じて前記プロテクタ本体と係合する蓋体と、を備え、
前記プロテクタ本体は、
底面部と、
前記底面部の一側より立ち上がる高丈側面部と、
前記底面部の他側より前記高丈側面部よりも所要寸法が低く立ち上がる低丈側面部と、
前記底面部の中程で、前記プロテクタ本体の上面を閉じる前記蓋体に近接する高さに立ち上がり、前記プロテクタ本体内を前記高丈側面部寄りの溝状の第１の電線群収容空間と前記低丈側面部寄りの溝状の第２の電線群収容空間とに仕切る仕切り壁部と、を有し、
前記仕切り壁部は、その頂部に、前記第１および第２の電線群収容空間にそれぞれ前記電線群を案内する案内面を有することを特徴とするプロテクタ。
【請求項２】
前記仕切り壁部は、前記第１の電線群収容空間が前記第２の電線群収容空間よりも幅広となるように区画することを特徴とする請求項１に記載のプロテクタ。
【請求項３】
前記蓋体は、その内面部に、前記第１の電線群収容空間および前記第２の電線群収容空間のそれぞれに収容される電線群を平坦な積層状態となるように押圧する押圧部が設けられていることを特徴とする請求項１または２に記載のプロテクタ。
【請求項４】
前記プロテクタ本体には、前記底面部の前記高丈側面部および前記低丈側面部のそれぞれの際に沿って複数の棒状治具を立ち上げる複数の棒状治具立上用孔を有し、前記蓋体には、当該蓋体を前記プロテクタ本体に被せるときに、前記底面部より立ち上げた棒状治具を通し、当該蓋体を前記プロテクタ本体に被せた後に、前記複数の棒状治具を上方へ引き抜ける棒状治具引抜用孔を有することを特徴とする請求項１〜３のいずれか一項に記載のプロテクタ。
【請求項５】
前記棒状治具立上用孔および前記棒状治具引抜用孔は、前記棒状治具の立ち上がり状態での水平断面形状が前記仕切り壁部側に向かって平面部となっている半円形状の前記棒状治具に対応している孔形状であることを特徴とする請求項４に記載のプロテクタ。
【発明の詳細な説明】
【技術分野】
【０００１】
本発明は、電線群を収容し保護するプロテクタに関する。
【背景技術】
【０００２】
従来、プロテクタ本体内で複数本の電線群を軸線方向と直交する幅方向に区分けして収容し保護することができるプロテクタが知られている（例えば、特許文献１参照）。
【０００３】
図８および図９を参照して、上記した特許文献１に記載された従来のプロテクタについて簡単に説明する。従来のプロテクタ１３は、プロテクタ本体２と、このプロテクタ本体２の開口部１２を閉鎖するカバー１４と、電線群収容空間７内の複数本の電線群Ｗを幅方向に均等に区分けする複数の区分け部材１６と、を備えている。
【０００４】
この従来のプロテクタ１３は、配索ピン１１をプロテクタ本体２の底面部に有したピン通し孔に下方から挿入し、プロテクタ本体２内を配索ピン１１によって電線群Ｗを区分けできる状態とし、電線群Ｗを区分けした状態に収容してからカバー１４でプロテクタ本体２の開口部１２を閉鎖する構成である。そして、プロテクタ１３は、カバー１４の上面に設けられたピン通し孔１５から区分け部材１６を差し込み、区分け部材１６によっても電線群Ｗを区分けした状態にしてから、配索ピン１１を下方へ引き抜く構成である。この構成により、プロテクタ１３は、電線群Ｗをプロテクタ本体２の両側の側面部の上端とカバー１４とに挟まないような構成とされている。
【先行技術文献】
【特許文献】
【０００５】
【特許文献１】特開平６−１７８４２５号公報
【発明の概要】
【発明が解決しようとする課題】
【０００６】
しかしながら、上記した従来のプロテクタ１３は、電線群を通す空間形状の上面部が傾斜面となっていて電線群を通す方向に直交する水平方向の幅が狭い電線群配索空間への取り付けには不向きであるという問題があった。
【０００７】
すなわち、車輌のエンジンルームのような限られた電線群配索空間であって、特に電線群を通す空間形状の上面部が傾斜面となっていて、電線群を通す方向に直交する水平方向の幅が狭い電線群配索空間へプロテクタを取り付けることが余儀なくされる場合において、従来のプロテクタ１３を取り付けると、カバー１４が水平面となり、カバー１４の上側空間がデッドスペースになり、空間の有効利用ができない。さらに、電線群を通す方向に直交する水平方向の幅がすこぶる狭く、電線群Ｗの電線の本数が多い場合には、従来のプロテクタ１３では十分に広い配索空間を確保できず、複数本の電線群Ｗを狭小な電線群収容空間７内に隙間なく詰め込むことになるという問題があった。
【０００８】
本発明は、上述のような問題を解決するためになされたもので、電線群を通す空間の上面部が電線群を通す方向に直交する水平方向に傾斜面となっていて、かつ、幅が狭い電線群配索空間に設置された場合に好適なプロテクタを提供することを目的とする。
【課題を解決するための手段】
【０００９】
本発明に係るプロテクタは、上記目的を達成するため、上面が傾斜状態に開いており、当該上面より電線群を通すように収容するプロテクタ本体と、前記プロテクタ本体の上面を閉じて前記プロテクタ本体と係合する蓋体と、を備え、前記プロテクタ本体は、底面部と、前記底面部の一側より立ち上がる高丈側面部と、前記底面部の他側より前記高丈側面部よりも所要寸法が低く立ち上がる低丈側面部と、前記底面部の中程で、前記プロテクタ本体の上面を閉じる前記蓋体に近接する高さに立ち上がり、前記プロテクタ本体内を前記高丈側面部寄りの溝状の第１の電線群収容空間と前記低丈側面部寄りの溝状の第２の電線群収容空間とに仕切る仕切り壁部と、を有し、前記仕切り壁部は、その頂部に、前記第１および第２の電線群収容空間にそれぞれ前記電線群を案内する案内面を有する構成である。
【００１０】
この構成により、本発明に係るプロテクタは、プロテクタ本体が、底面部と高丈側面部と低丈側面部と仕切り壁部とからなり、上面が傾斜状態に開らかれていて、蓋体を被せると、蓋体の上面が傾斜面となる。このため、本発明に係るプロテクタは、電線群を通す空間の上面部が電線群を通す方向に直交する水平方向に傾斜面となっていて、かつ、幅が狭い電線群配索空間に適用し設置する場合、蓋体の上面の傾斜角度を電線群配索空間の上面部の傾斜角度に合わせることにより、デッドスペースがなくなり、空間の有効利用ができる。
【００１１】
そして、プロテクタ本体内の空間は、仕切り壁部により溝状の第１の電線群収容空間と第２の電線群収容空間とに区画されるので、第１の電線群収容空間内には多い本数の電線群を、また第２の電線群収容空間内には少ない本数の電線群をそれぞれ収容することができるとともに、仕切り壁部の頂部に案内面を備えているから、第１の電線群収容空間と第２の電線群収容空間とにそれぞれ電線群をより確実に案内でき、プロテクタ本体と蓋体との間に電線が挟まれた状態で収容される、いわゆる噛み込みを回避できる。
【００１２】
また、本発明に係るプロテクタにおいて、前記仕切り壁部は、前記第１の電線群収容空間が前記第２の電線群収容空間よりも幅広となるように区画する構成である。
【００１３】
この構成により、本発明に係るプロテクタは、第１の電線群収容空間を第２の電線群収容空間に比べて深くかつ幅広とすることができるので、プロテクタで電線群を保護する作業において、作業者が、第１の電線群収容空間内には多い本数の電線群を、また第２の電線群収容空間内には少ない本数の電線群をそれぞれ収容することができることを容易に認識でき、その結果、プロテクタ本体と蓋体との間に電線が挟まれた状態で収容される、いわゆる噛み込みを一層回避できる。
【００１４】
また、本発明に係るプロテクタにおいて、前記蓋体は、その内面部に、前記第１の電線群収容空間および前記第２の電線群収容空間のそれぞれに収容される電線群を平坦な積層状態となるように押圧する押圧部が設けられている構成である。
【００１５】
この構成により、本発明に係るプロテクタは、第１の電線群収容空間および第２の電線群収容空間に収容された電線群を内方へ押し込むようにして蓋体がプロテクタ本体に被さるので、プロテクタ本体と蓋体との間に電線が挟まれた状態で収容されるのを回避できる。
【００１６】
また、本発明に係るプロテクタにおいて、前記プロテクタ本体には、前記底面部の前記高丈側面部および前記低丈側面部のそれぞれの際に沿って複数の棒状治具を立ち上げる複数の棒状治具立上用孔を有し、前記蓋体には、当該蓋体を前記プロテクタ本体に被せるときに、前記底面部より立ち上げた棒状治具を通し、当該蓋体を前記プロテクタ本体に被せた後に、前記複数の棒状治具を上方へ引き抜ける棒状治具引抜用孔を有する構成である。
【００１７】
この構成により、本発明に係るプロテクタは、プロテクタ本体の底面部の複数の棒状治具立上用孔に棒状治具を差し込むことで、該棒状治具を立ち上げることができ、棒状治具を立ち上げた状態で第１の電線群収容空間内には多い本数の電線群を、また第２の電線群収容空間内には少ない本数の電線群を区分けした状態に収容することができる。そして、棒状治具を立ち上げた状態で蓋体をプロテクタ本体に被せることができるので、プロテクタ本体と蓋体との間に電線が挟まれた状態で収容されるのを回避でき、その後に、棒状治具を上方へ引き抜くことができる。
【００１８】
また、本発明に係るプロテクタにおいて、前記棒状治具立上用孔および前記棒状治具引抜用孔は、前記棒状治具の立ち上がり状態での水平断面形状が前記仕切り壁部側に向かって平面部となっている半円形状の前記棒状治具に対応している孔形状である。
【００１９】
この構成により、本発明に係るプロテクタは、棒状治具と電線群との接触面をより大きくできるため、電線と棒状治具との接触圧を小さくすることができるので、棒状治具の抜き取り時に電線の絶縁塗料が擦られて破られるという恐れを低減できる。
【発明の効果】
【００２０】
本発明によれば、電線群を通す空間の上面部が電線群を通す方向に直交する水平方向に傾斜面となっていて、かつ、幅が狭い電線群配索空間に設置された場合に好適なプロテクタを提供することができる。
【図面の簡単な説明】
【００２１】
【図１】本発明の実施の形態に係るプロテクタの構成を概略的に示す斜視図である。
【図２】本発明の実施の形態に係るプロテクタの構成を概略的に示す側面図である。
【図３】本発明の実施の形態に係るプロテクタの装着方法について説明するために示す図である。
【図４】本発明の実施の形態に係るプロテクタの装着方法について説明するために示す図である。
【図５】本発明の実施の形態に係るプロテクタの装着方法について説明するために示す図である。
【図６】本発明の実施の形態に係るプロテクタの装着方法について説明するために示す図である。
【図７】本発明の実施の形態に係るプロテクタの仕切り壁部の他の構成例を示す概略図である。
【図８】従来のプロテクタを示す分解斜視図である。
【図９】従来のプロテクタを示す断面図である。
【発明を実施するための形態】
【００２２】
以下、本発明に係る実施の形態について、図面を参照して説明する。ここでは、自動車等の車輌のエンジンルーム内等の天井面が傾斜している狭小な空間に配索されるワイヤーハーネスを例に説明する。
【００２３】
まず、構成について説明する。
【００２４】
図１および図２に示すように、プロテクタ２１は、複数本の電線の束である電線群Ｗを収容するプロテクタ本体３１と、該プロテクタ本体３１の上面を閉鎖する蓋体４１と、を備えて構成されている。
【００２５】
プロテクタ本体３１は、上面が傾斜状態に開いた開口部３１ａを有し、当該開口部３１ａよりプロテクタ本体３１の内部に電線群Ｗが収容されるように構成されている。
【００２６】
プロテクタ本体３１は、底面部３２と、底面部３２の一側より立ち上がる高丈側面部３３と、底面部３２の他側より高丈側面部３３よりも所要寸法が低く立ち上がる低丈側面部３４と、を有している。また、プロテクタ本体３１には、底面部３２の幅方向に対応する短手方向の中程に、高丈側面部３３の丈と低丈側面部３４の丈との中間の高さで立ち上がる仕切り壁部３５が設けられている。高丈側面部３３および低丈側面部３４と仕切り壁部３５とは、それぞれ、底面部３２の長手方向に沿って配設されるとともに、略同様の長さを有している。
【００２７】
底面部３２には、その長手方向の両端に、それぞれ固定部３２ａ、３２ａを有している。各固定部３２ａ、３２ａには、それぞれ、プロテクタ本体３１内に収容される電線群Ｗの両端が外装用粘着テープＴにより固定されるようになっている。
【００２８】
また、底面部３２には、高丈側面部３３および低丈側面部３４のそれぞれの際に沿って、少なくとも４個の棒状治具立上用孔３２ｂが開孔されている。棒状治具立上用孔３２ｂは、プロテクタ２１の装着時に後述する棒状治具が抜き差しされるためのものであって、例えば、仕切り壁部３５側が平坦面とされた半円形状を有している。
【００２９】
高丈側面部３３および低丈側面部３４は、それぞれの丈に応じて、開口部３１ａの傾斜角を規定するとともに、外面部に蓋体４１を保持するための保持爪３３ａおよび３４ａを有している。
【００３０】
仕切り壁部３５は、プロテクタ本体３１内の中程で長手方向に沿って立ち上げられていて、高丈側面部寄りの第１の電線群収容空間３６と低丈側面部寄りの第２の電線群収容空間３７とを区画している。本実施の形態において、第１の電線群収容空間３６は、第２の電線群収容空間３７よりも幅広に設けられている。これにより、第１および第２の電線群収容空間３６、３７は、仕切り壁部３５と高丈側面部３３とで構成される第１の電線群収容空間３６の方が、仕切り壁部３５と低丈側面部３４とで構成される第２の電線群収容空間３７よりも幅広に構成されている。
【００３１】
また、仕切り壁部３５は、その頂部に、第１および第２の電線群収容空間３６、３７のそれぞれに向かって傾斜下降し、電線群Ｗをそれぞれ案内する案内面としての傾斜面を備える、爪部３５ａを有する構成とされている。
【００３２】
なお、仕切り壁部３５としては、高丈側面部３３および低丈側面部３４と同様の長さを有して連続的に形成する場合に限らず、例えば、複数に分割して非連続的に形成するようにしてもよい。
【００３３】
一方、蓋体４１は、プロテクタ本体３１の上面の開口部３１ａを閉じ、第１および第２の電線群収容空間３６、３７に収容された電線群Ｗの脱出を阻止する。蓋体４１は、閉鎖時にプロテクタ本体３１と係合するために、上面部４２の短手方向の両端に、それぞれ、長手方向に沿って側面部４３、４４が設けられている。また、蓋体４１の一方の側面部４３には、高丈側面部３３の保持爪３３ａに係止される係止孔４３ａが、他方の側面部４４には、低丈側面部３４の保持爪３４ａに係止される係止孔４４ａが、それぞれ開孔されている。
【００３４】
さらに、蓋体４１には、その内面部に、第１の電線群収容空間３６および第２の電線群収容空間３７のそれぞれに収容された電線群Ｗを平坦な堆積状態となるように押圧する押圧部４５、４６が、長手方向に沿って設けられている。
【００３５】
また、蓋体４１の上面部４２には、プロテクタ本体３１の底面部３２に設けられた棒状治具立上用孔３２ｂに対応する、少なくとも４個の棒状治具引抜用孔４２ａが開孔されている。すなわち、棒状治具引抜用孔４２ａは、高丈側面部３３および低丈側面部３４のそれぞれの際に沿って開孔されている。棒状治具引抜用孔４２ａは、プロテクタ２１の装着時に後述する棒状治具が抜き差しされるためのものであって、棒状治具立上用孔３２ｂと同様に、仕切り壁部３５側が平坦面とされた半円形状を有している。
【００３６】
本実施の形態においては、高丈側面部３３の丈と低丈側面部３４の丈との差分に応じ、従来よりも、プロテクタ本体３１における第１および第２の電線群収容空間３６、３７をより大型化できるようになる。これにより、底面部３２のサイズを大きくせずとも、または、より小面積化した場合にも、複数本の電線群Ｗを余裕で収納することが可能となる。したがって、車輌のエンジンルームのような限られたスペース内に配設する場合において、特に傾斜面への配設を要求されるような場合にも、十分に対応することができる。
【００３７】
特に、プロテクタ本体３１の上面の傾斜状態を、配設する傾斜面に合致させるようにすることで、余裕をもって複数本の電線群Ｗを収容することができるとともに、いかなる傾斜面に対しても容易に配設することが可能となり、作業性を格段に向上できるようになる。
【００３８】
次に、プロテクタ２１の装着方法について説明する。
【００３９】
図３（ａ）に示すように、まず、プロテクタ本体３１には、底面部３２の各棒状治具立上用孔３２ｂに対して下方向より規制用の棒状治具５１が挿入される。
【００４０】
ここで、棒状治具５１は、例えば、図示せぬ固定台に起立した状態で着脱自在に設けられており、装着時にプロテクタ本体３１が固定台上に載置されることにより、各棒状治具立上用孔３２ｂに挿入される。
【００４１】
図３（ｂ）および図３（ｃ）に示すように、棒状治具５１は、図３（ａ）のIIIB−IIIB線に沿うIIIB−IIIB断面およびIIIC−IIIC線に沿うIIIC−IIIC断面が、それぞれ、仕切り壁部３５側が平坦面とされた半円形状を有する柱体によって構成されている。
【００４２】
なお、棒状治具５１としては、半円形状の断面を有する柱体に限らず、例えば、三角形状の断面を有する柱体等であってもよい。すなわち、棒状治具５１は、少なくとも仕切り壁部３５と対向する面が平面であればよい。
【００４３】
そして、プロテクタ本体３１には、仕切り壁部３５によって２つの溝に分けられた第１の電線群収容空間３６と第２の電線群収容空間３７とに、それぞれ、仕切り壁部３５および棒状治具５１をガイドに、複数本の電線群Ｗが所定本ずつ不均等に区分けされて収納される。この場合、丈が低い低丈側面部３４側の、第２の電線群収容空間３７内に収容される電線群Ｗの本数を減らすことによって、後述する蓋体４１の閉鎖時に第２の電線群収容空間３７内に多くの電線群Ｗが詰め込まれることにより、蓋体４１の閉鎖が不完全になるのを回避できる。
【００４４】
なお、仕切り壁部３５は、その高さが、高丈側面部３３の上部と低丈側面部３４の上部とを結ぶ傾斜面Ｓと同程度以下となるように形成されるのが望ましい。
【００４５】
図４に示すように、例えば、より幅広な第１の電線群収容空間３６には、１２０本の電線群Ｗのうちの８０本の電線群Ｗが、より幅狭な第２の電線群収容空間３７には、残りの４０本の電線群Ｗが、それぞれ収容される。
【００４６】
その際、電線群Ｗは、仕切り壁部３５の爪部３５ａの傾斜に沿って案内され、第１の電線群収容空間３６内および第２の電線群収容空間３７内に容易に収容される。
【００４７】
また、第１の電線群収容空間３６内および第２の電線群収容空間３７内において、高丈側面部３３および低丈側面部３４に近接する際側の電線群Ｗは、それぞれ棒状治具５１との接触により短手方向への拡がりが規制され、第１の電線群収容空間３６内および第２の電線群収容空間３７内からのはみ出しが抑制される。これにより、閉鎖時に、プロテクタ本体３１と蓋体４１との間に電線が挟まれた状態で収容される、いわゆる噛み込みを回避できる。
【００４８】
本実施の形態においては、棒状治具５１の仕切り壁部３５側を平坦面とする半円形状の断面としたことにより、円形状の断面にした場合に比べ、電線群Ｗが収容される第１の電線群収容空間３６および第２の電線群収容空間３７の幅をより拡張できる。
【００４９】
図５に示すように、電線群Ｗが収容されたプロテクタ本体３１は、その上方より、蓋体４１が被せられる。蓋体４１は、棒状治具５１が棒状治具引抜用孔４２ａに挿入されることにより下方に移動され、プロテクタ本体３１の開口部３１ａを閉鎖する。
【００５０】
蓋体４１は、係止孔４３ａが高丈側面部３３の保持爪３３ａに係止されるとともに、係止孔４４ａが低丈側面部３４の保持爪３４ａに係止されることにより、プロテクタ本体３１によって保持される。
【００５１】
その際、第１の電線群収容空間３６内に収容された電線群Ｗは、蓋体４１の押圧部４５によって押圧されて平坦化され、第２の電線群収容空間３７内に収容された電線群Ｗは、押圧部４６によって押圧されて平坦化される。これにより、収容された電線群Ｗは、底面部３２側に押し込まれ、閉鎖時に浮き上がるのを抑制できるようになるので、プロテクタ本体３１と蓋体４１との間に電線が挟まれた状態で収容されるのを回避できる。
【００５２】
図６に示すように、収容された電線群Ｗは、図示矢印の方向に棒状治具５１が引き抜かれることにより、当該棒状治具５１により規制されていた第１および第２の電線群収容空間３６、３７の際にまで良好に分布される。その後、収容された電線群Ｗの両端が底面部３２の各固定部３２ａ、３２ａに外装用粘着テープＴによって固定されることにより、図１および図２に示したような、プロテクタ２１が装着されてなる電線群Ｗが完成する。
【００５３】
本実施の形態において、棒状治具５１は、半円形状の断面を有しており、その平坦面が電線群Ｗと接触する。そのため、電線群Ｗは、棒状治具５１との大きな面積で接触するので丸棒である棒状治具に比べ棒状治具５１との接触圧が小さくなる。したがって、棒状治具５１の抜き取り時に電線群Ｗの絶縁被膜が破られるといった不安を解消できる。
【００５４】
このように、本実施の形態のプロテクタ２１は、プロテクタ本体３１が、底面部３２と高丈側面部３３と低丈側面部３４と仕切り壁部３５とからなり、上面が傾斜状態に開らかれていて、蓋体４１を被せると、蓋体４１の上面が傾斜面となる。このため、本実施の形態のプロテクタ２１は、電線群Ｗを通す空間の上面部が電線群Ｗを通す方向に直交する水平方向に傾斜面となっていて、かつ、幅が狭い電線群配索空間に適用し設置する場合、蓋体４１の上面の傾斜角度を電線群配索空間の上面部の傾斜角度に合わせることにより、デッドスペースがなくなり、空間の有効利用ができる。
【００５５】
そして、プロテクタ本体３１内の空間は、仕切り壁部３５により第１および第２の電線群収容空間３６、３７に区画されるので、高丈側面部３３寄りの溝内には多い本数の電線群Ｗを、また、低丈側面部３４寄りの溝内には少ない本数の電線群をそれぞれ収容することができるとともに、仕切り壁部３５の頂部に傾斜面を有する爪部３５ａを備えているから、第１の電線群収容空間と第２の電線群収容空間とにそれぞれ電線群をより確実に案内でき、プロテクタ本体と蓋体との間に電線が挟まれた状態で収容される、いわゆる噛み込みを回避できる。
【００５６】
本実施の形態に係るプロテクタ２１は、電線群Ｗを収容するプロテクタ本体３１の上面を傾斜状態としたことにより、高丈側面部３３の丈と低丈側面部３４の丈との差分の三角空間だけ第１および第２の電線群収容空間３６、３７を大型化できる。これにより、プロテクタ本体３１の底面部３２を幅方向に広げて大面積化せずとも、保護すべき電線群Ｗを余裕で収納できるようになる。したがって、小型のプロテクタ２１であっても、より複数本の電線群Ｗを収容することが可能となり、狭小な傾斜面に対しても容易に配設することができる。
【００５７】
また、プロテクタ２１は、丈が低い低丈側面部３４側での電線群Ｗの収容本数をより少なくしたことによって、閉鎖時に蓋体４１による閉鎖が不完全になるのを回避できる。
【００５８】
また、プロテクタ２１は、押圧部４５、４６により電線群Ｗが浮き上がるのを抑制できるようになるので、閉鎖時にプロテクタ本体３１と蓋体４１との間に電線が挟まれた状態で収容されるのを回避できる。
【００５９】
また、プロテクタ２１は、棒状治具５１により高丈側面部３３および低丈側面部３４のそれぞれの際にまで電線群Ｗが収容されるのを規制できるので、閉鎖時にプロテクタ本体３１と蓋体４１との間に電線が挟まれた状態で収容されるのを回避できる。
【００６０】
また、プロテクタ２１は、棒状治具５１の断面を半円形状とし、その平坦面側が電線群Ｗと接触するようにしたので、高丈側面部３３および低丈側面部３４の際での電線群Ｗの挙動を規制できるとともに、棒状治具５１の引き抜き時に電線群Ｗが損傷するのを軽減できる。
【００６１】
本発明は、上記の実施の形態に限定されるものでなく、特許請求の範囲の技術的範囲には、発明の要旨を逸脱しない範囲内で種々、設計変更した形態が含まれる。
【００６２】
図７（ａ）〜（ｃ）は、上述した本発明の実施の形態に係るプロテクタ２１の仕切り壁部３５の他の構成例を示す概略図である。
【００６３】
仕切り壁部３５としては、図７（ａ）に示すように、その頂部に、第１および第２の電線群収容空間３６、３７のそれぞれに向かって傾斜下降し、電線群Ｗをそれぞれ案内する案内面としての湾曲面を備える、爪部３５Ａを有する構成としてもよい。
【００６４】
また、仕切り壁部３５としては、図７（ｂ）に示すように、その頂部に、第１および第２の電線群収容空間３６、３７のそれぞれに向かって傾斜下降し、電線群Ｗをそれぞれ案内する案内面としての一対の傾斜面３５Ｂを有する構成としてもよい。
【００６５】
または、仕切り壁部３５としては、図７（ｃ）に示すように、その頂部に、第１および第２の電線群収容空間３６、３７のそれぞれに向かって傾斜下降し、電線群Ｗをそれぞれ案内する案内面としての湾曲部３５Ｃを有する構成としてもよい。
【００６６】
以上説明したように、本発明に係るプロテクタは、電線群を通す空間の上面部が電線群を通す方向に直交する水平方向に傾斜面となっていて、かつ、幅が狭い電線群配索空間に設置された場合に好適であるという効果を有し、電線群のプロテクタ全般に有用である。
【符号の説明】
【００６７】
２１  プロテクタ
３１  プロテクタ本体
３１ａ  開口部
３２  底面部
３２ｂ  棒状治具立上用孔
３３  高丈側面部
３４  低丈側面部
３５  仕切り壁部
３５ａ  爪部
３６  第１の電線群収容空間
３７  第２の電線群収容空間
４１  蓋体
４２  上面部
４２ａ  棒状治具引抜用孔
４５、４６  押圧部
５１  棒状治具
Ｗ  電線群
【図１】
2015119530.tif 000003
【図２】
2015119530.tif 000004
【図３】
2015119530.tif 000005
【図４】
2015119530.tif 000006
【図５】
2015119530.tif 000007
【図６】
2015119530.tif 000008
【図７】
2015119530.tif 000009
【図８】
2015119530.tif 000010
【図９】
2015119530.tif 000011